(57)【要約】      （修正有）【課題】誤挿入による損傷リスクを少なくすることができる光ファイバー用のコネクタ及びアダプターの構造を提供する。【解決手段】本光ファイバアダプタ４００は、本体４１０、フック部材および第１の突起部４７１を備える。本体は、第１の壁、第２の壁、第３の壁および第４の壁によって画定された軸方向収容室を有し、ここでは、第３の壁は第１の壁に対向し、第２および第４の壁につながっている。フック部材は軸方向収容室内に配置されており、フランジ、中空円筒体４６８および一対のフック４６４を備える。中空円筒体およびフックはフランジの一端から延在しており、中空円筒体はフックの間に配置されている。第１の突起部は、軸方向収容室内の第１の壁に配置されており、ここでは、第１の突起部は、光ファイバコネクタが光ファイバアダプタに嵌合すると光ファイバコネクタの第１の窪みに受け入れられるように構成されている。【選択図】図５
0003171507.tif 000002
【実用新案登録請求の範囲】
【請求項１】
第１の窪みをその上に有する光ファイバコネクタに嵌合するように構成された光ファイバアダプタであって、
第１の壁、第２の壁、第３の壁および第４の壁によって画定された軸方向収容室を有し、ここでは、前記第３の壁は前記第１の壁に対向し、前記第２および第４の壁につながっており、前記軸方向収容室は開口部を有する本体と、
前記軸方向収容室内に配置され、フランジ、中空円筒体および一対のフックを備え、ここでは、前記中空円筒体およびフックは前記フランジの一端から延在しており、前記中空円筒体は前記フックの間に配置されているフック部材と、
前記軸方向収容室内の前記第１の壁に配置され、前記光ファイバコネクタが前記光ファイバアダプタに嵌合すると前記光ファイバコネクタ上の前記第１の窪みに受け入れられるように構成されている第１の突起部と、
を備える光ファイバアダプタ。
【請求項２】
前記光ファイバコネクタは、その上に少なくとも１つの第２の窪みをさらに有し、前記光ファイバアダプタは、前記軸方向収容室内の前記第３の壁に形成された少なくとも１つの第２の突起部をさらに備え、前記第２の突起部は、前記光ファイバコネクタが前記光ファイバアダプタに嵌合すると前記第２の窪みに受け入れられるように構成されている、請求項１に記載の光ファイバアダプタ。
【請求項３】
前記第１の窪みは矩形である、請求項１に記載の光ファイバアダプタ。
【請求項４】
前記第１の突起部は前記円筒体よりも前記軸方向収容室の前記開口部の近くに配置されている、請求項１に記載の光ファイバアダプタ。
【請求項５】
前記光ファイバアダプタはＳＣ型光ファイバアダプタである、請求項１に記載の光ファイバアダプタ。
【考案の詳細な説明】
【技術分野】
【０００１】
本考案は、光ファイバコネクタおよびアダプタに関し、より詳細には、重要な特徴を有する光ファイバコネクタおよびアダプタに関する。
【背景技術】
【０００２】
コネクタで終端する光ファイバおよびこれらのコネクタを受け入れるように構成されたアダプタは、実質的にあらゆる光ファイバ通信システムの重要な部分である。例えば、光ファイバを能動または受動装置などに接続するために、そのようなコネクタおよびアダプタを使用して、ファイバーセグメントを相互に連結し、より長い長さを作り出してもよい。しかし、例えば、セキュリティ上の理由で、あるいは電気通信網をより良く管理するために、コネクタの挿入を特定のアダプタに物理的に制限して、それにより、コネクタおよびアダプタを介するデータ伝送を防止することが望ましい場合もある。
【０００３】
図１を参照すると、従来の光ファイバコネクタ１００は、四角い断面を有するほぼ矩形の形状を有する。コネクタ１００は、上側壁１１１、下側壁１１２、右側壁１１３および左側壁１１４からなる矩形のハウジング１１０を備え、ここでは、下側壁１１２は上側壁１１１に対向し、右側壁１１３および左側壁１１４につながっている。ラッチ１２０は、上側壁１１１内に成形されており、タブ１２６をコネクタ１００の中心軸１５０−１５０に垂直な方向に上下に移動させることができるリビングヒンジ１２５を備える。ラッチ１２０は、タブ１２６の両側に配置されている一対の突起部１２１を備える。さらに、フェルール１４０は、ハウジング１１０の開口部１１６から突出している。フェルール１４０を開口部１１１内で前後に移動させることができるように、ハウジング１１０内にバネ（図示せず）が取り付けられている。一対の突起部１６０はそれぞれ、右側壁１１３および左側壁１１４に配置されている。
【０００４】
図２を参照すると、従来の２芯光ファイバアダプタ２００は、ほぼ矩形のハウジング２１０を備える。ハウジング２１０は、上側壁２１１、下側壁２１２、右側壁２１３および左側壁２１４によって画定された軸方向空胴を有する。軸方向空胴は、右側壁２１３および左側壁２１４に平行であって上側壁２１１および下側壁２１２につながっている区画壁２１５によって両半分に分割されている。上側壁２１１、下側壁２１２、区画壁２１５および右側壁２１３によって画定された軸方向空胴の半分は右の軸方向空胴と呼び、上側壁２１１、下側壁２１２、区画壁２１５および左側壁２１４によって画定された軸方向空胴のもう半分は左の軸方向空胴と呼ぶ。右および左の軸方向空胴はそれぞれ開口部２０８を有する。コネクタ１００の突起部１６０に嵌合する一対の窪み２２０はそれぞれ、左側壁２１４および区画壁２１５に接する左の軸方向空胴内に配置されている。同様に、窪み２２０はそれぞれ、右側壁２１３および区画壁２１５に接する右の軸方向空胴内にも配置されている。図１のコネクタ１００が開口部２０８の一方からアダプタ２００に完全に挿入されると、コネクタ１００上の突起部１６０は窪み２２０内に配置される。２つの中空円筒体２４０は、コネクタ１００のフェルール１４０を受け入れるために右および左の軸方向空胴内にそれぞれ軸方向に配置されている。さらに、アダプタ２００は相互ロック機構２３０をさらに備え、相互ロック機構２３０はラッチ１２０（図１を参照）と嵌合し、それによって、コネクタ１００がアダプタ２００に完全に挿入されるとコネクタ１００とアダプタ２００は確実に噛み合う。
【０００５】
上記問題を解決するために、いくつかの製造業者は、アダプタ２００の円筒体２４０を丸い断面形状から特定の形状に変更している。そのような設計を用いると、図１に示すコネクタのように、そのハウジングの開口部が円筒体２４０に嵌合する形状を有するものしかアダプタ２００に完全に挿入することができない。従って、コネクタの挿入を特定のアダプタに物理的に制限するという目的は達成することができる。
【０００６】
しかし、ある使用者が不注意によって嵌合しないコネクタをアダプタ２００に挿入した場合、コネクタの大きな部分がアダプタ２００に挿入されるまで使用者はそれに気づくことができない。そのため、このような行為により、コネクタやアダプタを損傷するリスクが高まるであろう。
【０００７】
従って、上述した問題を解決するために解決法を提供する必要がある。
【考案の概要】
【０００８】
本開示は、光ファイバコネクタおよびアダプタを提供する。コネクタにはその上に窪みが設けられており、アダプタには、窪みに嵌合することによりコネクタの挿入を特定のアダプタに物理的に制限する突起部がその中に設けられている。
【０００９】
一実施形態では、本開示の光ファイバアダプタは、本体、フック部材および第１の突起部を備える。本体は、第１の壁、第２の壁、第３の壁および第４の壁によって画定された軸方向収容室を有し、ここでは、第３の壁は第１の壁に対向し、第２および第４の壁につながっている。フック部材は軸方向収容室内に配置されており、フランジ、中空円筒体および一対のフックを備える。中空円筒体およびフックはフランジの一端から延在しており、中空円筒体はフックの間に配置されている。第１の突起部は軸方向収容室内の第１の壁に配置されており、ここでは、第１の突起部は、光ファイバコネクタが光ファイバアダプタに嵌合すると光ファイバコネクタ上の第１の窪みに受け入れられるように構成されている。
【００１０】
本開示によれば、光ファイバアダプタは、軸方向収容室内の第３の壁に形成された少なくとも１つの第２の突起部をさらに備え、第２の突起部は、光ファイバコネクタが光ファイバアダプタに嵌合すると光ファイバコネクタ上の第２の窪みに受け入れられるように構成されている。
【００１１】
本開示によれば、第１の窪みは矩形である。
【００１２】
本開示によれば、第１の突起部は、円筒体よりも軸方向収容室の開口部の近くに配置されている。
【００１３】
本開示によれば、光ファイバアダプタはＳＣ型光ファイバアダプタである。
【００１４】
本開示の上記ならびにさらなる目的、特徴および利点は、添付の図面を参照しながら進める以下の詳細な説明からより容易に明らかになるであろう。
【図面の簡単な説明】
【００１５】
【図１】従来の光ファイバコネクタの正面斜視図である。
【図２】従来の光ファイバアダプタの正面斜視図である。
【図３】本開示に係る光ファイバコネクタの正面斜視図である。
【図４】本開示に係る光ファイバコネクタの別の正面斜視図である。
【図５】本開示に係る光ファイバアダプタの正面斜視図である。
【図６】本開示に係る光ファイバアダプタの断面図である。
【図７】本開示の光ファイバコネクタが本開示の光ファイバアダプタに嵌合することを示す断面図である。
【考案を実施するための形態】
【００１６】
図３および図４を参照すると、本開示に係る光ファイバコネクタ３００は、四角い断面を有するほぼ矩形の形状を有する。コネクタ３００は、上側壁３１１、下側壁３１２、右側壁３１４および左側壁３１３からなる矩形の中空外側ハウジング３１０を備え、ここでは、右側壁３１４は左側壁３１３に対向し、下側壁３１２および上側壁３１１につながっている。突起部３３０は上側壁３１１に形成されており、貫通開口部３１８は右および左側壁３１４、３１３のそれぞれに形成されている。中空内側ハウジング３５０は外側ハウジング３１０内に配置されており、外側ハウジング３１０の前端の矩形開口部３１６内を前後に移動させることができる。さらに、フェルール３４０は、内側ハウジング３５０内に配置されており、内側ハウジング３５０の前端の円形開口部３５６および外側ハウジング３１０の開口部３１６から突出している。フェルール３４０を開口部３１６、３５６内で前後に移動させることができるように、内側ハウジング３５０内にバネが取り付けられている（図示せず）。さらに、少なくとも１つの細長い窪み３７１は上側壁３１１の外面に形成されており、少なくとも１つの細長い窪み３７２は下側壁３１２の外面に形成されている。窪み３７１は、ほぼ矩形の形状を有し、上側壁３１１のエッジ３６１からブーツ３８０に向かって真っ直ぐに延在している。窪み３７１は、フェルール３４０に平行に配置されている。窪み３７２は、ほぼ矩形の形状を有し、下側壁３１２のエッジ３６２からブーツ３８０に向かって真っ直ぐに延在している。窪み３７２は、フェルール３４０に平行に配置されている。
【００１７】
図５および図６を参照すると、本開示に係る光ファイバアダプタ４００は、ほぼ矩形の本体４１０を備える。本体４１０は、上側壁４１１、下側壁４１２、右側壁４１３および左側壁４１４によって画定された軸方向収容室４１５を有する。一対のフック部材４６０は、軸方向収容室４１５内に位置づけられている。各フック部材４６０には、ほぼ矩形のフランジ４６２の一端から延在している一対のフック４６４が設けられている。各フランジ４６２は、２つのフック４６４の間に位置づけられた中空円筒体４６８を備える。さらに、少なくとも１つの矩形の突起部４７１は上側壁４１１の内面に形成されており、少なくとも１つの矩形の突起部４７２は下側壁４１２の内面に形成されている。一実施形態では、突起部４７１は、上側壁４１１と右側壁４１３との交点の近傍に位置づけられていてもよい。また、突起部４７１は、上側壁４１１と左側壁４１４との交点の近傍に位置づけられていてもよい。同様に、突起部４７２は、下側壁４１２と右側壁４１３との交点の近傍に位置づけられていてもよい。また、突起部４７２は、下側壁４１２と左側壁４１４との交点の近傍に位置づけられていてもよい。別の実施形態では、２つの突起部４７２は、下側壁４１２に形成されており、ここでは、一方の突起部４７２は、下側壁４１２と右側壁４１３との交点の近傍に位置づけられており、他方の突起部４７２は、下側壁４１２と左側壁４１４との交点の近傍に位置づけられている。図７を参照すると、突起部４７１および４７２はそれぞれ、コネクタ３００がアダプタ４００に嵌合すると光ファイバコネクタ３００の窪み３７１および３７２に受け入れられる。
【００１８】
本開示によれば、突起部４７１、４７２を受け入れ得る窪み３７１、３７２が設けられたコネクタ３００のみが本開示の光ファイバアダプタ４００に嵌合することができる。従って、コネクタの本開示のアダプタ４００への所望でない挿入は防止することができる。これらの重要な特徴をより際立たせることができるように、突起部４７１、４７２は、収容室４１５の開口部の近くに配置してもよい。例えば、突起部４７１、４７２は、円筒体４６８よりも収容室４１５の開口部の近くに配置されている。言うまでもなく、これらの突起部３７１、３７２を受け入れるために、コネクタ３００の窪み４７１、４７２の長さを増加させる必要がある。
【００１９】
当然のことながら、重要な突起部は、アダプタの上および下側壁の一方もしくは両方の実質的にあらゆる位置に形成してもよい。重要な突起部の数は、アダプタの設計に応じて決定してもよい。
【００２０】
本開示はＳＣ単芯型コネクタおよびアダプタを用いて例示されているが、本開示を達成するために２芯または他の複合型を採用し得ることに留意されたい。
【００２１】
例示を目的として本開示の好ましい実施形態について開示してきたが、当業者には理解されるように、添付の実用新案登録請求の範囲に開示されているような本開示の範囲および精神から逸脱することなく、様々な修正、追加および置換が可能である。
【図１】
0003171507.tif 000003
【図２】
0003171507.tif 000004
【図３】
0003171507.tif 000005
【図４】
0003171507.tif 000006
【図５】
0003171507.tif 000007
【図６】
0003171507.tif 000008
【図７】
0003171507.tif 000009